【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
矩形状の表示画面を有する携帯型電子機器が着脱されるホルダ部を有する卓上ホルダであって、
前記ホルダ部は、前記携帯型電子機器を横長方向で横置きにした状態で、且つ当該携帯型電子機器の表示画面が前方を向くように立てかけた状態で保持すると共に、
その保持した状態で前記携帯型電子機器の下方に配置される充電用端子と対向する位置には、その充電用端子と接触することで給電を行う給電用端子が設けられ、
当該ホルダ部は、当該卓上ホルダを構成するスタンド部により回動可能に支持されること、を特徴とする卓上ホルダ。
【請求項２】
前記ホルダ部は、前記携帯型電子機器を前記横置きに保持した状態で当該携帯型電子機器の下方に配置されるイヤホン端子に対向する前記ホルダ部の位置が開放され、前記携帯型電子機器のイヤホン端子にイヤホンケーブルが接続された状態では、当該イヤホンケーブルが前記ホルダ部の下方にて引き回し可能となるように下方スペース部が形成されること、を特徴とする請求項１記載の卓上ホルダ。
【請求項３】
前記ホルダ部は、前記携帯型電子機器を前記横置きに保持した状態で当該携帯型電子機器の下方に配置される外部接続端子に対向する前記ホルダ部の位置が開放され、前記携帯型電子機器の外部接続端子にケーブルが接続された状態では、当該ケーブルが前記ホルダ部の下方にて引き回し可能となるように下方スペース部が形成されること、を特徴とする請求項１記載の卓上ホルダ。
【請求項４】
前記ホルダ部は、前記携帯型電子機器を前記横置きに保持した状態で当該携帯型電子機器の上方に配置されるサイドキー部、及び伸縮自在のテレビ用アンテナ部を上方向から操作できるように上方向を開放していること、を特徴とする請求項１記載の卓上ホルダ。
【請求項５】
前記携帯型電子機器は、操作部筐体と表示部筐体との開閉することで異なるスタイルに変更可能な携帯型電子機器であって、
前記ホルダ部は、前記携帯型電子機器の表示部筐体の表示部を前面にした閉じたスタイルで横置きにした状態で、当該携帯型電子機器を保持可能であること、を特徴とする請求項１記載の卓上ホルダ。
【請求項６】
前記携帯型電子機器は、テレビ受信機能を有したテレビ受信機能付き機器であって、
前記ホルダ部は、前記テレビ受信機能付き機器を前記横置きに保持した状態で当該テレビ受信機能付き機器の上方に配置されるテレビチャンネルシフト用のサイドキー部を上方向から操作できるように上方向を開放されていること、を特徴とする請求項５記載の卓上ホルダ。
【手続補正２】
【補正対象書類名】明細書
【補正対象項目名】発明の名称
【補正方法】変更
【補正の内容】
【発明の名称】卓上ホルダ
【手続補正３】
【補正対象書類名】明細書
【補正対象項目名】０００１
【補正方法】変更
【補正の内容】
【０００１】
本発明は、携帯電話機等の携帯型電子機器の卓上ホルダに関する。
【手続補正４】
【補正対象書類名】明細書
【補正対象項目名】０００６
【補正方法】変更
【補正の内容】
【０００６】
本発明の課題は、卓上ホルダにセットした状態で表示画面に表示される画像を見やすくすることができる卓上ホルダを提供することである。
【手続補正５】
【補正対象書類名】明細書
【補正対象項目名】０００７
【補正方法】変更
【補正の内容】
【０００７】
以上の課題を解決するため、請求項１に記載の発明は、矩形状の表示画面を有する携帯型電子機器が着脱されるホルダ部を有する卓上ホルダであって、前記ホルダ部は、前記携帯型電子機器を横長方向で横置きにした状態で、且つ当該携帯型電子機器の表示画面が前方を向くように立てかけた状態で保持すると共に、その保持した状態で前記携帯型電子機器の下方に配置される充電用端子と対向する位置には、その充電用端子と接触することで給電を行う給電用端子が設けられ、当該ホルダ部は、当該卓上ホルダを構成するスタンド部により回動可能に支持されること、を特徴とする。
【手続補正６】
【補正対象書類名】明細書
【補正対象項目名】０００８
【補正方法】変更
【補正の内容】
【０００８】
請求項２に記載の発明は、請求項１記載の卓上ホルダであって、前記ホルダ部は、前記携帯型電子機器を前記横置きに保持した状態で当該携帯型電子機器の下方に配置されるイヤホン端子に対向する前記ホルダ部の位置が開放され、前記携帯型電子機器のイヤホン端子にイヤホンケーブルが接続された状態では、当該イヤホンケーブルが前記ホルダ部の下方にて引き回し可能となるように下方スペース部が形成されること、を特徴とする。
請求項２に記載の発明によれば、携帯型電子機器を卓上ホルダにセットすることで、充電用端子やイヤホン端子が表示画面の下部に配置され、イヤホンケーブルが表示画面に表示される画像を見る妨げとならない。
【手続補正７】
【補正対象書類名】明細書
【補正対象項目名】０００９
【補正方法】変更
【補正の内容】
【０００９】
請求項３に記載の発明は、請求項１記載の卓上ホルダであって、前記ホルダ部は、前記携帯型電子機器を前記横置きに保持した状態で当該携帯型電子機器の下方に配置される外部接続端子に対向する前記ホルダ部の位置が開放され、前記携帯型電子機器の外部接続端子にケーブルが接続された状態では、当該ケーブルが前記ホルダ部の下方にて引き回し可能となるように下方スペース部が形成されること、を特徴とする。
【手続補正８】
【補正対象書類名】明細書
【補正対象項目名】００１０
【補正方法】変更
【補正の内容】
【００１０】
請求項３に記載の発明によれば、前記携帯型電子機器を前記横置きに保持した状態で当該携帯型電子機器の下方に配置される外部接続端子に対向する前記ホルダ部の位置が開放され、前記携帯型電子機器の外部接続端子にケーブルが接続された状態では、当該ケーブルが前記ホルダ部の下方にて引き回し可能となるように下方スペース部が形成されるので、外部接続端子に接続されるケーブルを下方スペース部に配置することができ、ケーブルの引き回しに注意を払わなくても、ケーブルが表示画面に表示される画像を見る妨げとなることはない。
請求項４に記載の発明は、請求項１記載の卓上ホルダであって、前記ホルダ部は、前記携帯型電子機器を前記横置きに保持した状態で当該携帯型電子機器の上方に配置されるサイドキー部、及び伸縮自在のテレビ用アンテナ部を上方向から操作できるように上方向を開放していること、を特徴とする。
請求項５に記載の発明は、請求項１記載の卓上ホルダであって、前記携帯型電子機器は、操作部筐体と表示部筐体との開閉することで異なるスタイルに変更可能な携帯型電子機器であって、前記ホルダ部は、前記携帯型電子機器の表示部筐体の表示部を前面にした閉じたスタイルで横置きにした状態で、当該携帯型電子機器を保持可能であること、を特徴とする。
請求項６に記載の発明は、請求項５記載の卓上ホルダであって、前記携帯型電子機器は、テレビ受信機能を有したテレビ受信機能付き機器であって、前記ホルダ部は、前記テレビ受信機能付き機器を前記横置きに保持した状態で当該テレビ受信機能付き機器の上方に配置されるテレビチャンネルシフト用のサイドキー部を上方向から操作できるように上方向を開放されていること、を特徴とする。
【手続補正９】
【補正対象書類名】明細書
【補正対象項目名】００１１
【補正方法】変更
【補正の内容】
【００１１】
本発明によれば、携帯型電子機器を卓上ホルダにセットした状態において、表示画面に表示される画像を見やすくすることができる。